(57)【要約】      （修正有）【課題】光源ユニットの不燃材で形成されたカバーが外れ難い照明器具を提供する。【解決手段】本発明の照明器具は、光源ユニット２００が発光部を金属性のフレーム２２０、不燃材で形成されたカバー２３０と蓋２４０を有しているものである。この照明器具は、不燃材で形成されたカバー２３０を長手方向に亘って保持する、フレーム側部２２２が備える第一保持部と、カバー２３０の長手方向の端部を保持する、蓋２４０が備える第二保持部とで保持することで、カバー２３０を外れ難くしたものである。【選択図】図３
2019083136.tif 000002
【特許請求の範囲】
【請求項１】
長尺状であり、長手方向に沿って開口が形成されている器具本体と、
前記開口を塞ぐように着脱可能に取り付けられる前記器具本体に取り付けられる光源ユニットと、
を備え、
前記光源ユニットは、
前記開口を塞ぐように設けられた矩形状をしたフレーム底部、前記底部の対向する長手側辺から対に突設するフレーム側部が設けられたフレームと、
対になる前記フレーム側部の間において、前記底部に配設された発光部と、
前記発光を覆うように、対になる前記フレーム側部の間に設けられたカバーと、
前記カバーを長手方向に亘って保持する第一保持部と、
前記フレームの長手方向の端部に設けられ、前記カバーの長手方向の端部を保持する第二保持部とを有していることを特徴とする照明器具。
【請求項２】
前記光源ユニットは、前記フレーム側部の前記フレーム底部側と反対側の端部にフレーム溝部が設けられており、前記フレーム溝部が前記第一保持部であることを特徴とする請求項１に記載の照明器具。
【請求項３】
前記光源ユニットは、前記フレームの長手方向端部を塞ぐように設けられた蓋を有し、前記蓋が前記第二の保持部であることを特徴とする請求項１または請求項２のいずれか一項に記載の照明器具。
【請求項４】
前記光源ユニットは、前記フレーム底部の裏側に前記発光部を点灯させる為の電源装置が設けられ、
前記電源装置は、
前記電源装置に電力を入力する為の第一の入力コネクタと、
前記電源装置と前記発光部をつなぐ発光部用電線に設けられた第二の入力コネクタとを有していることを特徴とする請求項１から請求項３のいずれか一項に記載の照明器具。
【請求項５】
前記器具本体は、
外部から商用電源が供給される端子台と、
前記端子台に供給されないときに前記発光部を点灯させる第二の電源装置と、を備え、
前記端子台は、前記第一の入力コネクタと接続し、前記第二の電源装置は前記第二のコネクタと接続することを特徴とする請求項４に記載の照明器具。
【請求項６】
前記電源装置は、前記光源ユニットが前記器具本体に取り付けられた状態において、前記第二の電源装置と長手方向において併設することを特徴とする請求項５に記載の照明器具。
【請求項７】
前記カバーは不燃材で形成され、前記フレームは金属で形成されたことを特徴とする請求項１から請求項６のいずれか一項に記載の照明器具。
【発明の詳細な説明】
【技術分野】
【０００１】
本発明は、カバーを有する光源ユニットを備えた照明器具に関するものである。
【背景技術】
【０００２】
従来から、基板が配設されたフレームと、この基板を覆うようにフレームに取り付けられたカバーとを有する長尺の光源ユニットがある。この光源ユニットのカバーを不燃材で形成することで、光源ユニットを常用時および非常時の両方で兼用できるようにした照明器具がある。（例えば、特許文献１参照）
【先行技術文献】
【特許文献】
【０００３】
【特許文献１】特開２０１７−５９４２５号公報
【発明の概要】
【発明が解決しようとする課題】
【０００４】
しかしながら、この非常灯併用形照明器具の光源ユニットは、カバーを不燃材で形成したことで複雑な形状を形成することができない。その為、カバーのフレームへの取り付け方法は、カバーの端部をフレームの端部に引っ掛けただけのものであり、振動や負荷によりカバーが容易に外れてしまうおそれがある。
【０００５】
そこで、本発明は、上記のような課題を解決する為になされたもので、光源ユニットの不燃材で形成されたカバーが外れ難い照明器具を提供することを目的とする。
【課題を解決するための手段】
【０００６】
本発明の照明器具は、長尺状であり、長手方向に沿って開口が形成されている器具本体と、前記開口を塞ぐように着脱可能に取り付けられる前記器具本体に取り付けられる光源ユニットと、を備え、前記光源ユニットは、前記開口を塞ぐように設けられた矩形状をしたフレーム底部、前記底部の対向する長手側辺から対に突設するフレーム側部が設けられたフレームと、対になる前記側部の間において、前記底部に配設された発光部と、前記発光を覆うように、対になる前記側部の間に設けられたカバーと、前記カバーを長手方向に亘って保持する第一保持部と、前記フレームの長手方向の端部に設けられ、前記カバーの長手方向の端部を保持する第二保持部とを有していることを特徴とするものである。
【発明の効果】
【０００７】
本発明の照明器具は、光源ユニットの不燃材で形成されたカバーを長手方向に亘って保持する第一保持部と、カバーの長手方向の端部を保持する第二保持部とで保持することで、カバーが外れ難くしたものである。
【図面の簡単な説明】
【０００８】
【図１】実施の形態１の照明器具を示す斜視図である。
【図２】実施の形態１における照明器具のＡ-Ａ′断面図である。
【図３】実施の形態１における照明器具の分解斜視図である。
【図４】実施の形態１における器具本体の斜視図である。
【図５】実施の形態１における収容凹部のＢ-Ｂ′断面図である。
【図６】実施の形態１におけるバネの斜視図である。
【図７】実施の形態１における光源ユニットの斜視図である。
【図８】実施の形態１における光源ユニットの三面図である。
【図９】実施の形態１における光源ユニットのＣ−Ｃ′断面図である。
【図１０】実施の形態１における光源ユニットの分解斜視図である。
【図１１】実施の形態１における蓋の斜視図である。
【図１２】実施の形態１における連結金具の斜視図である。
【図１３】実施の形態１における光源ユニットの照明器具への取付工程図である。
【図１４】実施の形態２の照明器具を示す斜視図である。
【図１５】実施の形態２における照明器具の分解斜視図である。
【図１６】実施の形態２における光源ユニットのＤ-Ｄ′断面図である。
【発明を実施するための形態】
【０００９】
実施の形態１．
本発明は、非常灯併用形照明器具に関してものであり、光源ユニットの不燃材によるカバーが外れ難くしたものである。
以下、本発明に係る実施の形態として、天井等に取り付けられる非常灯併用形照明器具である照明器具について説明する。まずは照明器具の全体の構成を説明する。
図１は本実施の形態における照明器具の斜視図である。図２は図１に示すＡ-Ａ′断面図である。図３は図１に示す照明器具１の分解斜視図である。
【００１０】
以下の説明では、図１に示す矢印のように、照明器具の長手方向を長手方向Ｘ、短手方向を短手方向Ｙ、長手方向Ｘおよび短手方向Ｙに直交する方向を上下方向Ｚとする。また、照明器具１が取り付けられる天井などの被取付面に向う方向を上方向Ｚ１とし、上方向Ｚ１と反対側に向う方向を下方向Ｚ２とする。
【００１１】
照明器具１は、器具本体１００と光源ユニット２００とを備える。器具本体１００は、例えば図示しない吊ボルトなどの固定具を用いて被取付面に取り付けられる。光源ユニット２００は、器具本体１００に対して着脱自在に取り付けられている。
【００１２】
図４から図６を参照して、器具本体１００の各部の構成を説明する。図４は図３に示す器具本体１００の斜視図である。図５は図４に示すＢ-Ｂ′断面図である。図６は図４に示すバネ１２０の斜視図である。器具本体１００は、固定具を用いて被取付面に取り付けられ、下方向Ｚ２側から光源ユニット２００が装着される。
【００１３】
器具本体１００は、収容凹部１１０と、バネ１２０と、端子台１３０と、非常用電源装置１４０と、蓄電池１５０と、点検スイッチ１６０を有している。
器具本体１００は、バネ１２０、端子台１３０、非常用電源装置１４０、蓄電池１５０および点検スイッチ１６０が収容凹部１１０の内部に収容されている。また、端子台１３０、非常用電源装置１４０、蓄電池１５０および点検スイッチ１６０は、収容凹部１１０の長手方向Ｘにおける略中央より一端側に配設されている。
【００１４】
収容凹部１１０は、矩形板状に形成された底部１１０ａと、底部１１０ａの長辺の端部から下方向Ｚ２へ延びる一対の側部１１０ｂとで構成され、底部１１０ａと対向する面が開口されている。この構成により、収容凹部１１０は凹形状をなしている。
また、収容凹部１１０の底部１１０ａには、電源引込孔１１０ａａと固定孔１１０ａｂが形成されている。電源引込孔１１０ａａは、器具本体１００外部から収容凹部１１０内に商用電源から電力供給をうける為の図示しない電源線を引き込む。固定孔１１０ａｂは、器具本体１００を被取付面に固定する為の固定具が挿通されている。なお、電源引込孔１１０ａａは、収容凹部１１０の長手方向Ｘにおける略中央に配設されている。なお。収容凹部１１０の内部とは、底部１１０ａと、一対の側１１０ｂに囲まれた空間である。
【００１５】
バネ１２０は、光源ユニット２００を係止して保持するものであり、収容凹部１１０の底部１１０ａに、Ｘ方向に沿って対になるように２つ配設されている。
バネ１２０は図６に示すようにバネ固定部１２１と、バネ円弧部１２２と、バネ先端部１２３が設けられている。バネ固定部１２１は、収容凹部１１０の底部１１１ａに固定される。バネ円弧部１２２は、円弧形状をしており、一端にバネ先端部１２３が設けられている。バネ先端部１２３は、後述する連結金具２５０に引っ掛けられる。
また、バネ１２０は、ステンレス材料や、バネ鋼材などの弾性材料で形成される。なお、バネ１２０は、板材の弾性材料を曲げて形成しても良く、線材の弾性材料を曲げて形成してもよい。
【００１６】
端子台１３０は、収容凹部１１０の内部に配設される。器具本体１００の天井側から収容凹部１１０内に引き込まれる図示しない電源電線が挿し込まれるものである。
この端子台１３０は、矩形状に形成された端子台本体部１３１と、光源ユニット２００に電気的に接続する端子台接続部１３２とを備える。この端子台接続部１３２は、端子台電線１３３ａと端子台電線１３３の先端に設けられた常用コネクタ１３４を備える。
端子台１３０は、非常用電源装置１４０およびとスイッチ１６０と電線を介し電気的に接続している。
【００１７】
非常用電源装置１４０は、常用時である商用電源から電力が供給されているときは、端子台１３０を介して商用電源から供給される電力により蓄電池１５０を充電する。
非常用電源装置１４０は、商用電源から電力供給が停止した非常時では、充電された蓄電池１５０から電力供給を受け光源ユニット２００を点灯させる。非常用電源装置１４０は、光源ユニット２００を点灯させる第二の電源装置である。
非常用電源装置１４０は、収容凹部１１０の内部に配設されており、略直方体形状をした非常用電源装置本体部１４１と、光源ユニット２００に電気的に接続する非常用電源接続部１４２とを備える。
非常用電源装置本体部１４１は内部に、蓄電池１５０を充電させる充電回路、非常時に蓄電池１５０からの電力供給を受け光源ユニット２００を点灯させる非常用点灯回路、商用電源からの給電状態に応じて蓄電池１５０の接続を切り替えする切替回路を備えている。
非常用接続部１４２は、非常用電線１４３と非常用電線１４３の先端に設けられた非常用コネクタ１４４を備えている。
非常用電源装置１４０は、端子台１３０、蓄電池１５０、スイッチ１６０と電線を介し電気的に接続している。
【００１８】
蓄電池１５０は、収容凹部１１０の長手方向の一端側に配設されており、非常用電源装置１４０を介して供給される電力を充電し蓄積するものである。また、蓄電池１５０は、商用電源から電力供給が停止されるなどの非常時には、非常用電源装置１４０に蓄積した電力を供給し光源ユニット２００を点灯させる。
【００１９】
点検スイッチ１６０は、収容凹部１１０の内部において端子台１３０と非常用電源装置１４０の間に配設されており、電線を介してそれぞれと接続されている。点検スイッチ１６０は、箱形状をしたスイッチ本体部１６１と、スイッチ本体部１６１に設けられた引き紐１６２を有している。
点検スイッチ１６０は、非常用電源装置１４０および蓄電池１５０が正常に動作するか点検するものであり、引き紐を引っ張ることで端子台１３０から非常用電源装置１４０への電源供給を遮断して仮想の停電状態にすることができ、正常に動作するか確認することができる。
【００２０】
以上が器具本体１００の構成であり、次に、この器具本体１００に装着される光源ユニット２００の構成を図７から図１２を用いて説明する。
図７は図３に示す光源ユニット２００の斜視図である。図８は図３に示す光源ユニットの三面図であり、図８の（ａ）は光源ユニット２００を上方向Ｚ１からみた上平面図であり、図８の（ｂ）は光源ユニット２００を短手方向Ｙからみた側面図であり、図８の（ｃ）は光源ユニット２００の下方向Ｚ２からみた下平面図であり、図９は図７に示す光源ユニット２００のＣ−Ｃ′断面図であり、図１０は図７に示す光源ユニット２００の分解斜視図であり、図１１は図１０に示す蓋２４０の斜視図であり、図１２は図１０に示す連結金具２６０の斜視図である。
【００２１】
光源ユニット２００は、発光部２１０と、フレーム２２０と、カバー２３０と、蓋２４０と、連結金具２５０と、電源装置２６０とを備えている。
光源ユニット２００は、収容凹部１１０の開口を塞ぐように光源ユニット２００が取り付けられる。光源ユニット２００は、側部１１０ｂの開口側の端部に当接している。
光源ユニット２００は、フレーム２２０が金属部材で形成され、カバー２３０がガラスなど不燃材で形成されている。このように、光源ユニット２００は、表面をすべて不燃材で形成しており、光源ユニット２００を非常用光源とすることができる。よって、光源ユニット２００は、常用時、非常時の両方で兼用して使用することができる。
【００２２】
発光部２１０は、複数の発光素子２１１と、複数の発光素子２１１が実装される基板２１２を有している。基板２１２は長尺に形成されており、発光素子２１１が基板２１２の長手方向へ直線状に配設されている。発光部２１０の長手方向Ｘにおける一端部には、電源装置２６０との間を電気的に接続するための発光部用電線２６３が接続されている。
ここで、発光素子２１１は、表面実装タイプのＬＥＤ素子であるが、ＣＯＢ型発光モジュールでも良く、有機ＥＬ素子、レーザーダイオード素子でも良い。また、発光素子２１１を直線状に実装する列は一列でも良く、複数列でも良い。
【００２３】
フレーム２２０は長手方向Ｘに沿って長尺且つ矩形板状に形成されたフレーム底部２２１と、フレーム底部２２１の長手側辺それぞれから下方向Ｚ１に延出する一対のフレーム側部２２２とで構成されている。
フレーム底部２２１は、光源ユニット２００が器具本体１００に取り付けられた状態において、収容凹部１１０の開口を塞ぐような大きさに形成されている。
フレーム側部２２２の下方向Ｚ１側の端部には、カバー２３０を保持する為のフレーム溝部２２３が形成されている。フレーム溝部２２３は、一対のフレーム側部２２２の下方向Ｚ１側の端部に互いに向かい合うよう設けられ、長手方向Ｘに沿って形成されており、カバー２３０の短手方向端部が挿し込まれ保持している。フレーム溝部２２３は、カバー２３０を長手方向Ｘに亘り保持する第一保持部である。
また、フレーム２２０は、アルミ部材などの金属部材で形成されている。フレーム２２０は、例えば、金属板を折り曲げて形成しても良く、押し出し成型や射出成型により形成しても良い。
【００２４】
カバー２３０は、発光部２１０の発光素子２２１からの光を拡散して出射するものである。カバー２３０は、板状の不燃材が短手方向Ｙにおいて湾曲した形状に形成されたものであり、端フレーム２２０のフレーム溝部２２３に長手方向Ｘの端部から差し込まれ保持されている。カバー２３０は、不燃材で形成されているが、不燃材はガラスなどである。また、カバー２３０は、発光部２３０からの光を所定の配光で出射する為に、表面にシボ加工などの拡散加工が施しても良い。
【００２５】
蓋２４０は、光源ユニット２００の長手方向Ｘにおける両端それぞれに配設されており、フレーム２２０とカバー２３０により形成された空間を長手方向Ｘにおいて塞ぐものである。
蓋２４０は、光源ユニット２００の短手断面と略同形状をした蓋主部２４１と、蓋主部２４１から突設したカバー押え部２４２を有している。
カバー押え部２４２は、カバー２３０が配設されたフレーム２２０に蓋２４０を取り付けした状態において、対に設けられたフレーム溝部２２３の間にカバー２３０の長手方向Ｘの端部側を覆うように設けられている。
蓋部２４０は、カバー押え部２４２が、カバー２３０を長手方向Ｘの端部で当接し保持する第二保持部である。
また、蓋部２４０は、アルミ部材などの金属部材で形成されている。蓋部２４０は、例えば、金属板を折り曲げて形成しても良く、押し出し成型や射出成型により形成しても良い。
【００２６】
連結金具２５０は、バネ１２０と係合するものであり、光源ユニット２００を器具本体１００に固定するものである。連結金具２５０は、フレーム底部２２１の発光部２１０が配設された面の裏面に取り付けられている。
連結金具２５０は、フレーム底部２２１に連結金具２５０を固定する金具固定部２５１と、フレーム底部２２１に略垂直になるように設けられたバネ連結部２５２とを備えている。
バネ連結部２５２は、バネ１６０が引っ掛けられる連結開口部２５３を有している。この連結開口部２５３を介してバネ連結部２５２とバネ１６０のバネ円弧部１６２が係合し、光源ユニット２００は器具本体１００に固定される。
【００２７】
電源装置２６０は、フレーム底部２２１の発光部２１０が取り付けられた面の裏面に配設されており、光源ユニット２００と電気的に接続し、光源ユニット２００を点灯させる。電源装置２６０は、長手方向Ｘにおいて、フレーム底部２２１の略中央よりも一端側に寄った位置に配設されている。なお、長手方向Ｘにおける、フレーム底部２２１の略中央とは、図８に示すＣ．Ｌである。
【００２８】
電源装置２６０は、略直方体形状をした電源装置本体部２６１と、電源装置本体部２６１の一端側に設けられた常用接続部２６２と、電源装置本体部２６１と発光部２１０を接続する発光部用電線２６３を有している。
【００２９】
電源装置本体部２６１は、発光部２１０を点灯させる為に商用電源から供給される電力を直流電流に変換する回路基板が内部に配設されているともに、一端側に設けられ商用電源から供給される電力を回路基板に入力する為の入力端子部２６１ａと、他端側に設けられ回路基板が変換した直流電流を出力する出力端子部２６１ｂとを有している。
【００３０】
常用接続部２６２は、入力端子部２６１ａに設けられており、常用電線２６２ａと常用電線２６２ａの先端に設けられた第一の入力コネクタ２６２ｂを備えている。常用時接続部２６２は、第一の入力コネクタ２６２ｂが端子台１３０の常用コネクタ１３４に接続し、商用電源からの電力を回路基板に供給する。なお、第一の入力コネクタ２６２ｂは、常用コネクタ１３４と着脱可能に接続する。
【００３１】
発光部用電線２６３は、入力端子部２６１ａと発光部２１０の基板２１２とに接続し、回路基板が変換した直流電流を発光部２１０に供給するものである。発光部用電線２６３は、入力端子部２６１ａと発光部２１０の間に第二の入力コネクタ２６３ａを備えている。第二の入力コネクタ２６３ａは、非常用電源装置１４０の非常用コネクタ１４４に接続し、非常時に非常用電源装置１４０が変換した直流電流を発光部２１０に供給する。なお、第二の入力コネクタ２６３ａは、非常用コネクタ１４４と着脱可能に接続する。
【００３２】
図１３を参照して、光源ユニット２００の照明器具１００への着脱作業の概要を説明する。図１３において、
（ａ）は、器具本体１００に光源ユニット２００が取り付けられる前の状態を示す。
（ｂ）は、作業者が光源ユニット２００の連結金具２５０の連結開口部２５３にバネ１４０のバネ先端部１２３に引っ掛けた状態を示す。
（ｃ）は、バネ円弧部１２２が連結金具２６０の連結開口部２５３に対して摺動する状態を示す。
（ｄ）は、器具本体１００に光源ユニット２００が取り付けられた状態を示す。
【００３３】
はじめに、図１３の（ａ）において、光源ユニット２００は器具本体１００に取り付けられてない状態であり、バネ１２０のバネ先端部１２３は器具本体１００の底部１１０ａに当接している。
なお、器具本体１００と光源ユニット２００は、器具本体１００に配設された端子台１３０、非常用電源装置１４０、蓄電池１５０、スイッチ１６０に対して、光源ユニット２００に配設された電源装置２６０が対向しないように取り付けを行なう。
【００３４】
次に、図１３の（ｂ）において、作業者がバネ１２０のバネ円弧部１２２がバネ固定部１２１に対して下方向Ｚ２に弾性変形させ、バネ先端部１２３を、連結金具２５０の開口に引っ掛ける。
連結金具２５０の連結開口部２５３にバネ先端部１２３が引っ掛けられることで、光源ユニット２００は器具本体１００に吊り下げられた状態になる。
また、バネ１２０は、図４に示すように、器具本体１００の長手方向Ｘの両端に配置されている。作業者は反対側のバネ１２０も同様に操作することで、光源ユニット２００は器具本体１００に対して略平行な状態で保持できる。このとき、第一の入力コネクタ２６２ｂと常用コネクタ１３４を接続し、第二の入力コネクタ２６３ｂと非常用コネクタ１４４とを接続する。
【００３５】
次に、図１３の（ｃ）において、作業者が光源ユニット２００を上方向Ｚ１である被取付部側に押し上げると、バネ１２０の弾性変形状態が解除され、バネ１２０のバネ円弧部１２２が、連結金具２５０連結開口部２５３に対して摺動し、光源ユニット２００を引き上げる。
【００３６】
次に、図１３の（ｄ）において、光源ユニット２００はバネ１２０により引きあげられ、収容凹部１１０の開口に当接し、光源ユニット２００は器具本体１００へ装着がされる。
このとき、光源ユニット２００のフレーム底部２２１が収容凹部１１０の端部と当接することで、光源ユニット２００が器具本体１００に隙間がないように取り付けられる。
また、収容凹部１１０の内側において、器具本体１００に設けられた端子台１３０、非常用電源装置１４０、蓄電池１５０および点検スイッチ１６０と、光源ユニット２００に設けられた電源装置２６０は、長手方向Ｘへ併列した状態で収容凹部１１０に収容されている。
なお、光源ユニット２００が略平行な状態で保持された後に、器具本体１００へ押し上げる取り付け作業に関して説明を行ったが、長手方向Ｘにおいて片側毎に取り付けをしても良い。
なお、光源ユニット２００の器具本体１００からの取り外す手順は、装着するときと逆の手順により取り外すことができる。
【００３７】
次に、光源ユニット２００の点灯動作について説明をする。
はじめに商用電源から電力が供給されている常用時について説明する。常用時において、商用電源からの電力が端子台１３０の常用コネクタ１３４と第一の入力コネクタ２６２ｂとを介して電源装置２６０に供給され、電源装置２６０にて商用電源を直流電力に変換する。この変換された直流電力は発光部用電線２６２ｂを介して発光部２１０に供給され、光源ユニット２００は点灯する。このとき、非常用電源装置１４０は商用電源から供給される電力により蓄電池１５０をする。
【００３８】
次に、停電などにより商用電源からの電力供給が停止された非常時について説明をする。非常時において、非常用電源装置１４０は、商用電源からの給電が停止された状況に応じ、蓄電池１５０を充電している状態から、蓄電池１５０が非常用点灯回路に接続する状態に切り替え。そして、非常用電源装置１４０は、蓄電池１５０からの電力を変換し、この変換された電力は非常用コネクタ１４４と第二の入力コネクタ２６３ａを介して発光部２１０に供給し、光源ユニット２００は点灯する。
なお、光源ユニット２００の非常時の明るさは、常時の明るさよりも明るくなくて良く、消防法の法令で定められている照度以上の照度が確保できる光量であれば良い。また、発光素子２１１の全部を点灯させなくても良く、一部のみを点灯するようにしても良い。また、点滅して点灯するようにしても良い。
【００３９】
本実施の形態では、光源ユニット２００は、フレーム２００のフレーム溝部２２０と蓋部２４０のカバー押え部２４２とで不燃材で形成されたカバー２３０を保持していることで、カバー２３０を長手方向Ｘに亘り保持するとともに、長手方向Ｘの端部でもことができ、カバー２３０がフレーム２２０から外れ難くすることができる。
【００４０】
本実施の形態では、光源ユニット２００は、金属部材で形成されたフレーム２２０と、ガラスなどの不燃材で形成されたカバー２３０と、金属部材で形成された蓋２４０で発光部２１０を囲んでいることで、非常時にも光源として使用することができる。よって、光源ユニット２００は、常用時および非常時の両方で使用することができる。このように、光源ユニット２００を非常時で使用できることで、非常用の光源を別途設ける必要がなく、部品の増加を抑制することができる。
また、光源ユニット２００は、兼用できるから、隣接する照明器具との間に常用時には点灯しない非常用光源を設けなくて良いので、常用時に点灯する標準型器具と併設しても、連続的な光り方をすることができる。
【００４１】
また、光源ユニット２００は、カバー２３０を対に設けられたフレーム側部２２２の間に配設したことで、ガラスなどの不燃材により形成する範囲をおさえることができ、カバー２３０が複雑な形状になるのを抑制することができる。
また、金属で形成されたフレーム２２０は、ガラスなどの不燃材よりも成型が容易である。よって、フレーム側部２２０により併設する標準器具と同じような形状にすることができ、短手方向Ｙの断面形状において標準器具と非常用併用形器具を同じような意匠にすることができる。なお、同じよう意匠とは、外郭の寸法が類似するものであり、一部に部品の接続による凹凸や隙間があっても良い。
【００４２】
本実施の形態では、光源ユニット２００は電源装置２６０を備え、電源装置２６０は端子台１３０の常用コネクタ１３４と接続する第一の入力コネクタ２６２ｂと、電源装置２６０と発光部２１０をつなぐ発光部用電線２６３とを有し、発光部用電線２６３には第二の入力コネクタ２６３ａが設けられている。よって、常用時には第一の入力コネクタ２６２ｂが商用電源からの電力を電源装置２６０へ供給することができ、非常時には第二の入力コネクタ２６３ａが非常用電源装置１４０からの電力を発光部２１０へ供給することができるので、光源ユニット２００は常用時および非常時の両方で使用することができる。
なお、第一の入力コネクタ２６２ｂと第二の入力コネクタ２６３ａは、それぞれ別形状のコネクタにすると良い。別形状のコネクタにすることで、常用コネクタ１３４を第二の入力コネクタ１４４に接続させてしまうなどの誤装着を防ぐことができ、光源ユニット２００の故障を抑制することができる。
【００４３】
本実施の形態では、器具本体１００が端子台１３０、非常用電源装置１４０、蓄電池１５０および点検スイッチ１６０を収容凹部１１０の長手方向Ｘにおける略中央より一端側に配設されよう収容しており、光源ユニット２００が電源装置２６０をフレーム底部２２１の長手方向Ｘにおける略中央よりも一端側に寄った位置に配設している。そして、光源ユニット２００は電源装置２６０が、器具本体１００に配設された端子台１３０、非常用電源装置１４０、蓄電池１５０、スイッチ１６０に対して対向しない向きで器具本体２００に取り付けられることで、各部品を長手方向Ｘに併列することができ器具本体１００が大きくなるのを抑制することができる。また、器具本体１００が大きくなることを抑制できることで、隣接する標準器具と同じような形状にすることができる。
【００４４】
実施の形態２．
次に、実施の形態２の照明器具３００を図１４〜図１６を参照して説明する。本実施の形態に係る照明器具３００は、実施の形態１の照明器具１と異なるカバー４１０、フレーム４２０を備えた光源ユニット４００を有するものであり、実施の形態１と同一又は相当部分には同一符号を付し重複した説明は省略する。
【００４５】
図１４は照明器具３００の斜視図である。図１５は図１４に示す照明器具３００の分解斜視図であり、図１６は図１４に示すＤ−Ｄ′断面図である。
照明器具３００は、器具本体１００と、この器具本体１００に着脱可能に取り付けられる光源ユニット４００を備えたものである。
【００４６】
光源ユニット４００は、フレーム４１０と、カバー４２０、発光部４３０、補強フレーム４４０と、蓋４４０を有している。
【００４７】
フレーム４１０は、矩形板状に形成されたフレーム底部４１１と、このフレーム底部４１１の長手側辺それぞれから下方向Ｚ１に延出する一対のフレーム側部４１２とで構成されている。一対のフレーム側部４１２は、下方向Ｚ１に突設するに従って互いに近づくように形成されているものである。フレーム４１０は、アルミ部材などの金属部材で形成されている。フレーム４１０は、は、例えば、金属板を折り曲げて形成しても良く、押し出し成型や射出成型により形成しても良い。
【００４８】
カバー４２０は、円筒形状をしており、内部に発光部４３０および補強フレーム４４０が配設されているものである。カバー４２０は、ガラスなどの不燃材で形成されている。
【００４９】
発光部４３０は、複数の発光素子４３１が長尺に形成された基板４３２に実装されている。
【００５０】
補強フレーム４４０は、長尺に形成されており、発光部４３０が取り付けられるものであり、発光部４３０が取り付けられた状態でカバー４２０の内部に収容されている。補強フレーム４４０は、カバー４３０を長手方向Ｘに亘り保持する第一保持部である。
【００５１】
蓋４５０は、光源ユニット４００の長手方向Ｘの両端にそれぞれ配設されており、補強フレーム４４０が係合するとともに、カバー４３０の長手方向Ｘの端部を保持している。蓋４５０は、カバー４３０の長手方向Ｘの端部を保持する第二保持部である。
【００５２】
本実施の形態の照明器具３００は、光源ユニット４００のカバー４３０が円筒形状で形成されていることで、カバーの強度をあげることができ外れ難くすることができる。
【００５３】
また、上記の実施の形態１および実施の形態２のいずれにおいても、器具本体１００にバネ１２０を設け、光源ユニット２００に連結金具２５０を設ける仕様について説明を行なったが、器具本体１００が連結金具２５０を備え、光源ユニット２００がバネ１２０を備える仕様でも良い。
【００５４】
また、天井等に取り付けられるトラス形状の照明器具について説明したが、トラス形状に限られず、器具本体が反射部を有する逆富士形の形状でも良く、照明器具であれば、その形状は限定されない。
【００５５】
また、実施の形態１および実施の形態２は、適宜組み合わせることが可能である。また、実施の形態１および実施の形態２の一部を抽出して組み合わせることも可能である。更に、実施の形態１および実施の形態２に限らず、適宜変更することも可能である。
【符号の説明】
【００５６】
Ｘ  長手方向、Ｙ  短手方向、Ｚ  上下方向、Ｚ１  上方向、Ｚ２  下方向、１  照明装置、1００  器具本体、１１0 収容凹部、１１０a  底部、１１０aa  電源引込孔、１１０ab  固定孔、１１０b  側部、１２０  バネ、１２１  バネ固定部、１２２  バネ円弧部、１２３  バネ先端部、１３０  端子台、１３１  端子台本体部、１３２  端子台接続部、１３３  端子台電線、１３４  常用コネクタ、１４０  非常用電源装置、１４１  非常用電源装置本体部、１４２  非常用接続部、１４３  非常用電線、１４４  非常用コネクタ、１５０  蓄電池、１６０  点検スイッチ、１６１  スイッチ本体部、１６２  引き紐、２００  光源ユニット、２１０  発光部、２１１  発光素子、２１２  基板、２２０  フレーム、２２１  フレーム底部、２２２  フレーム側部、２２３  フレーム溝部、２３０  カバー、２４０  蓋、２４１  蓋主部、２４２  カバー押え部、２５０  連結金具、２５１  金具固定部、２５２  バネ連結部、２５３  連結開口部、２６０  電源装置、２６１  電源装置本体部、２６１ａ  入力端子部、２６１ｂ  出力端子部、２６２  常用接続部、２６２ａ  常用電線、２６２ａ  常用電線、２６２ｂ  第一の入力コネクタ、２６３  発光部用電線、２６３ａ  第二の入力コネクタ、３００  照明器具、４００  光源ユニット、４１０  フレーム、４１１  フレーム底部、４１２  フレーム側部、４２０  カバー、４３０  発光部、４３１  発光素子、４３２  基板、４４０  補強フレーム、４５０  蓋。
【図１】
2019083136.tif 000003
【図２】
2019083136.tif 000004
【図３】
2019083136.tif 000005
【図４】
2019083136.tif 000006
【図５】
2019083136.tif 000007
【図６】
2019083136.tif 000008
【図７】
2019083136.tif 000009
【図８】
2019083136.tif 000010
【図９】
2019083136.tif 000011
【図１０】
2019083136.tif 000012
【図１１】
2019083136.tif 000013
【図１２】
2019083136.tif 000014
【図１３】
2019083136.tif 000015
【図１４】
2019083136.tif 000016
【図１５】
2019083136.tif 000017
【図１６】
2019083136.tif 000018